(57)【特許請求の範囲】
【請求項１】
所定契機により図柄変動装置の図柄が変動し、図柄が所定図柄の際に特別の利益を提供する遊技機において、
遊技盤へ発射された遊技球が始動口へ入賞、又は、始動ゲートを通過することにより前記図柄変動装置の図柄を変動させ、停止図柄が所定図柄の際に大入賞口を開放させるパチンコ遊技と、
所定個数の遊技球の投入及び始動装置の操作により前記図柄変動装置の図柄を変動させ、停止図柄が所定図柄の際に遊技者に賞球を払い出すスロット遊技と、
前記パチンコ遊技と前記スロット遊技とを切り替える切替手段と、
賞球の払い出しを受ける上皿から遊技球を発射装置へ搬送する整流器であって、前記切替手段によりパチンコ遊技が選択されている際には、遊技球を発射装置へ搬送し、スロット遊技が選択されている際には、前記所定個数の遊技球を前記遊技盤からのアウト球と同様に遊技機外へ排出させる整流器と、を備え、
前記整流器は、
賞球の払い出しを受ける上皿側からの遊技球を整流器内へ導入する導入口と、
整流器内の遊技球の発射装置側へ送る発射口と、
整流器内の遊技球を遊技機外へ排出させる排出路と、
前記発射口への遊技球の通過を阻止及び球送りする球送り部材であって、第１の姿勢で遊技球を阻止し、第２の姿勢で遊技球を把持し、前記第１の姿勢に復帰する際に、把持した遊技球を前記発射口へ送る球送り部材と、
前記導入口からの遊技球の流下路を変換する流下経路変換部材であって、第１の姿勢において遊技球を前記球送り部材による阻止位置へ案内し、第２の姿勢において前記排出路へ案内する流下経路変換部材と、を備え、
前記切替手段によりパチンコ遊技が選択されている際には、前記流下経路変換部材を前記第１の姿勢にして、遊技球を前記球送り部材による阻止位置へ案内し、前記球送り部材の第１の姿勢と第２の姿勢との変化により遊技球を１球ずつ発射装置へ送り、
前記スロット遊技が選択されている際には、前記流下経路変換部材を前記第２の姿勢にして、前記排出路へ前記所定個数を送った後、前記流下経路変換部材を前記第１の姿勢に戻すことで、前記排出路を介して前記所定個数の遊技球を前記遊技盤からのアウト球と同様に遊技機外へ排出させることを特徴とする遊技機。
【請求項２】
前記流下経路変換部材は、水平に延在するベース部と、ベース部の側面に取り付けられ垂直に延在する支持部と、支持部に支持されたく字状の案内部とからなり、
前記ベース部の先端部と、前記支持部の側面と、前記案内部の内面とで、遊技球を案内するための案内路を形成することを特徴とする請求項１の遊技機。
【請求項３】
前記球送り部材は、遊技球を前記遊技盤へ発射する発射鎚の動きに連動し、
前記第１の姿勢で遊技球を阻止する上端部と、
前記第２の姿勢で遊技球を把持する鍵部とを備えることを特徴とする請求項１又は請求項２の遊技機。
【発明の詳細な説明】
【０００１】
【発明の属する技術分野】
この発明は、所定契機により図柄変動装置の図柄が変動し、図柄が所定図柄の際に特別の利益を提供する遊技機に関するものである。
【０００２】
【従来の技術】
遊技店には、パチンコ機の他にスロット機が設けられることが多い。パチンコ機では、貸し出された遊技球を遊技盤に発射し、入賞に対して賞球の払い出しが行われる。現在、始動口への入賞、始動ゲート通過により図柄変動装置の図柄が変動し、図柄が大当たり図柄の際に大入賞口を開放する所謂、第１種、第３種のパチンコ機が主力となっている。一方、スロット機では、貸し出されたコインを投入し、スタートレバーを操作することで図柄変動装置の図柄を変動させ、停止図柄が役図柄の際にコインの払い出しを行っている。
【０００３】
【発明が解決しようとする課題】
係るパチンコ機とスロット機との併設の遊技店では、パチンコ遊技機が設置してある島と、スロット遊技機が設置してある島は、別々に存在し、パチンコ遊技からスロット遊技へ、或いはスロット遊技からパチンコ遊技へ移行する場合、遊技者自身が島自体を移動しなければならない。
【０００４】
また、遊技店にとっても、１つの遊技店内に異なる２種類の遊技媒体(パチンコ球とコイン)が存在することによって、パチンコ遊技機用の島設備自体とスロット遊技機用の島設備自体を必然的に分けざるを得ず、その導入に伴う経費が嵩むばかりでなく、その維持・管理に関わる経費も増大することとなっている。
【０００５】
仮に、１種類の遊技媒体でパチンコ遊技とスロット遊技の両方を行なえるようにしようとした場合、元来これら２つの遊技に供されていた遊技媒体の基本的な最小単位価値(概ね、パチンコ球：４円／個、コイン：２０円／枚)が異なるため、どちらかの遊技媒体に統一することが困難な状況にある。
【０００６】
本発明は、上述した課題を解決するためになされたものであり、その目的とするところは、１台でパチンコ遊技とスロット遊技とを行い得る遊技機を提供することにある。
【００１２】
【課題を解決するための手段】
請求項１の発明は、所定契機により図柄変動装置の図柄が変動し、図柄が所定図柄の際に特別の利益を提供する遊技機において、
遊技盤へ発射された遊技球が始動口へ入賞、又は、始動ゲートを通過することにより前記図柄変動装置の図柄を変動させ、停止図柄が所定図柄の際に大入賞口を開放させるパチンコ遊技と、
所定個数の遊技球の投入及び始動装置の操作により前記図柄変動装置の図柄を変動させ、停止図柄が所定図柄の際に遊技者に賞球を払い出すスロット遊技と、  前記パチンコ遊技と前記スロット遊技とを切り替える切替手段と、
賞球の払い出しを受ける上皿から遊技球を発射装置へ搬送する整流器であって、前記切替手段によりパチンコ遊技が選択されている際には、遊技球を発射装置へ搬送し、スロット遊技が選択されている際には、前記所定個数の遊技球を前記遊技盤からのアウト球と同様に機外へ流下させる整流器と、を備え、
前記切替手段によりパチンコ遊技が選択されている際には、前記流下経路変換部材を前記第１の姿勢にして、遊技球を前記球送り部材による阻止位置へ案内し、前記球送り部材の第１の姿勢と第２の姿勢との変化により遊技球を１球ずつ発射装置へ送り、
前記スロット遊技が選択されている際には、前記流下経路変換部材を前記第２の姿勢にして、前記排出路へ前記所定個数を送った後、前記流下経路変換部材を前記第１の姿勢に戻すことで、前記排出路を介して前記所定個数の遊技球を前記遊技盤からのアウト球と同様に遊技機外へ排出させることを技術的特徴とする。
【００１３】
請求項１では、切替手段を操作することでパチンコ遊技とスロット遊技とを切り替えることができるため、１台の遊技機でパチンコ遊技とスロット遊技とを行い得る。ここで、スロット遊技が、遊技球の投入により図柄変動装置の図柄変動を開始でき、停止図柄が所定図柄の際に賞球を払い出すため、遊技球を用いて、パチンコ遊技のみならずスロット遊技を行い得る。更に、整流器が、切替手段によりパチンコ遊技が選択されている際には、遊技球を発射装置へ搬送し、スロット遊技が選択されている際には、所定個数の遊技球を前記遊技盤からのアウト球と同様に機外へ流下させるため、遊技球を用いてスロット遊技が円滑に行い得る。
【００１５】
請求項１では、整流器は、切替手段によりパチンコ遊技が選択されている際には、流下経路変換部材を第１の姿勢にして、遊技球を球送り部材による阻止位置へ案内し、球送り部材の第１の姿勢と第２の姿勢との変化により遊技球を１球ずつ発射装置へ送り、スロット遊技が選択されている際には、流下経路変換部材を第２の姿勢にして、排出路へ所定個数を送った後、流下経路変換部材を第１の姿勢に戻すことで、排出路を介して所定個数の遊技球を遊技盤からのアウト球と同様に遊技機外へ排出させる。このため、整流器が、切替手段によりパチンコ遊技が選択されている際には、遊技球を発射装置へ搬送し、スロット遊技が選択されている際には、所定個数の遊技球を遊技盤からのアウト球と同様に機外へ排出させるため、遊技球を用いてスロット遊技が円滑に行い得る。
【００１６】
【発明の実施の形態】
以下、本発明の遊技機の実施形態について図を参照して説明する。
図１（Ａ）は、実施形態に係る遊技機の遊技機の平面図であり、(Ｂ)は遊技機の正面図であり、(Ｃ)は遊技機の右側面図である。図２は、図１(Ｂ)に示す遊技機を拡大して示す正面図であり、図３は、遊技機のガラス枠を開放した斜視図である。
【００１７】
図３に示すよう遊技機１０には、遊技枠１２にガラス枠１１が開閉可能に取付けられている。このガラス枠１１の裏面側には、上部を遊技領域に合わせて円形に加工された遊技盤１３が配置されている。ガラス枠１１の上側には、上部装飾灯１４が設けられている。本実施形態では、従来、遊技盤或いはガラス扉に装飾灯を遊技枠１２側に設けることで、遊技盤の入れ替え等による無駄を省くと共に、遊技枠とその遊技枠に対して開閉自在なガラス扉との装飾点灯に伴う結線をする必要がなくしてある。
【００１８】
図２に示すようにガラス枠１１の右側には、ガラス枠１１開閉用の鍵を差し込む鍵穴１５が設けられ、鍵穴１５の下側には、パチンコ遊技を選択するためのパチンコ選択スイッチ１６と、スロット遊技を選択するためのスロット選択スイッチ１７とが設けられている。ガラス枠１１の最下部には、遊技球を貸し出すための貸球ボタン９２と、プリペイドカードを返却するための返却ボタン９４とが設けられている。
【００１９】
ガラス枠１１の下側には、上皿パネル１８が設けられており、この上皿パネル１８の左側上部には、賞球及び貸球が導出される上皿賞球排出口１９が形成されており、この上皿賞球排出口１９の排出側には、その上皿賞球排出口１９から排出された遊技球を溜めておくための上皿２０が取り付けられている。上皿２０の下方には、その上皿２０で収容しきれなくなった賞球を排出するための下皿賞球排出口２１が形成されており、この下皿賞球排出口２１の排出側には、その下皿賞球排出口２１から排出された賞球を溜めておくための下皿２２が設けられている。
【００２０】
上皿２０の前面の中央には、左リール６２Ｌを停止させる左(left)リール停止ボタン８２Ｌ、中央リール６２Ｃを停止させる中央(center)リール停止ボタン８２Ｃ、右リール６２Ｒを停止させる右(right)リール停止ボタン８２Ｒが設けられている。また、これら各々の停止ボタンに対応する上皿２０の上面側は、各々“Ｌ”、“Ｃ”、“Ｒ”の文字が付されている（図１（Ａ）参照）。これは、遊技者が停止ボタンを押し間違えることのないようにとの配慮から、敢えて遊技者が視認し易い上面側に描いたものである。
【００２１】
上皿２０の前面の左側には、中央１本の横入賞ラインを有効にするための１−ＢＥＴスイッチ８４ａと、中央の横入賞ラインを含む上下の３本の横入賞ラインを有効にするための２−ＢＥＴスイッチ８４ｂと、３本の横入賞ライン及び２本の斜めの入賞ラインを有効にするための３−ＢＥＴスイッチ８４ｃとが設けられている。また、これら各々のＢＥＴスイッチに対応する上皿２０の上面側には、停止ボタンと同様に、図１（Ａ）に示すように各々“１”、“２”、“３”の文字が付されている。
【００２２】
上記ＢＥＴスイッチ８４ａ、８４ｂ、８４ｃの左側には、遊技者の操作により上記リール６２Ｌ、６２Ｃ、６２Ｒを回転を開始するためのスタートレバー８６が所定の角度範囲で回動自在に取り付けられている。
【００２３】
下皿２２の右方には、上皿２０から供給された遊技球を遊技盤１３へ発射する発射モータ（図示せず）を操作するための発射ハンドル２３が、回転可能に取付けられている。また、上皿２０の右方には、上皿２０に溜められた賞球を下皿２２へ抜くための上皿球抜きレバー２５がスライド可能に取付けられている。
【００２４】
パチンコ球技の際は、上皿２０の遊技球が、図３中に示す整流器６０内を通り発射口６８から発射レール９８上に１球ずつ供給され、上記発射モータによって駆動される発射鎚９６により、遊技盤１３側へ打ち出される。一方、スロット遊技の際には、上皿２０の遊技球が、整流器６０内を通り排出口６６ａから、設定個数（５，１０又は１５球）ずつ遊技機外へ導出させるための回収口９９側へ流下される。回収口９９を流下した遊技球は、パチンコ遊技の際に遊技盤１３へ発射されたアウト球と同様に島設備側へ回収される。
【００２５】
この整流器６０の構成について、断面図である図６及び図７、整流器内の流下経路変換部材の斜視図である図８を参照して説明する。
図６及び図７に示すように整流器６０は、上皿２０側と連通する導入孔６１と、図３中に示す発射レール９８側の弾発地点へ案内するための１個宛の発射口６８と、上述した設定個数ずつ遊技機外へ導出させるための回収口９９に連通する排出路６６とを備え、流下経路変換ソレノイド６３により駆動される流下経路変換部材６４によって、導入孔６１からの遊技球が、発射レール９８側への発射口６８と、回収口９９側への排出路６６とに振り分けられる。
【００２６】
図８に示すように、流下経路変換部材６４は、水平に延在するベース部６４ａと、ベース部６４ａの図中右側の側面に取り付けられ垂直に延在する支持部６４ｂと、支持部６４ｂに支持された“く字状”の案内部６４ｃとからなる。図６中に示すように、ベース部６４ａの先端部と、支持部６４ｂの左側面と、案内部６４ｃの内面とで、遊技球を案内するための案内路６４ｄを形成している。
【００２７】
図６は、遊技者によりパチンコ遊技が選択され、整流器６０内で流下経路変換ソレノイド６３が流下経路変換部材６４を引き入れることにより、遊技球が、上皿２０側と連通する導入孔６１側から発射レール９８側へ案内する発射口６８側へ送られる状態を示している。導入孔６１から導入された遊技球は、傾斜板６２を介して、流下経路変換部材６４の案内路６４ｄへ転動する。図６（Ａ）は、先に送られた遊技球が、発射レール９８上にあって発射を待っている状態を示している。発射鎚９６の動きに連動する球送り板６５の上端部６５ａにより、流下経路変換部材６４の案内路６４ｄ内で、遊技球が待機している。ここで、先に送られた遊技球が発射鎚９６により発射されると、図６（Ｂ）に示すように、この動きに連動する球送り板６５が先ず時計方向に揺動し、鍵部６５ｂに１個の遊技球を保持すると、図６（Ｃ）に示すように反時計方向へ揺動し、鍵部６５ｂに保持した遊技球を発射口６８へ送り込み、発射レール９８側へ案内させる。これと同時に、球送り板６５の上端部６５ａにより流下経路変換部材６４の案内路６４ｄ内に次発射遊技球が待機させられる。このように、球送り板６５によって、１球ずつ発射レール９８側へ案内させる。
【００２８】
図７は、遊技者によりスロット遊技が選択され、整流器６０内で流下経路変換ソレノイド６３が流下経路変換部材６４を押し出すことにより、遊技球が、上皿２０側と連通する導入孔６１側から設定個数ずつ遊技機外へ導出させるための排出路６６側へ案内させられる状態を示している。導入孔６１から導入された遊技球は、傾斜板６２を通り、流下経路変換部材６４の案内路６４ｄへ転動する。図７（Ａ）は、球送り板６５の上端部６５ａにより流下経路変換部材６４の案内路６４ｄに遊技球を待機させている状態を示している。ここで、図３を参照して上述した１−ＢＥＴスイッチ８４ａ、２−ＢＥＴスイッチ８４ｂ、又は、３−ＢＥＴスイッチ８４ｃが操作されると、遊技球が遊技機内に投入される。即ち、図７（Ｂ）及び図７（Ｃ）に示すように、流下経路変換ソレノイド６３が流下経路変換部材６４を押し出すことにより、導入孔６１から導入された遊技球は、傾斜板６２及び流下経路変換部材６４のベース部６４ａの上を転動し、案内路６４ｄを通って、排出路６６側へ送られる。排出路６６の開口部には、検出スイッチ６７が設けられており、排出路６６へ送られた遊技球を計数する。そして排出路６６の排出口６６ａから図３に示す回収口９９を介して遊技機外へ送られる。即ち、上述したパチンコ遊技において、遊技盤１３のアウト口６９からの遊技球の排出路と同様にしてホール側に回収される。
【００２９】
ここで、１−ＢＥＴスイッチ８４ａが操作されると、５個の遊技球が検出スイッチ６７で検出された際に、図７（Ａ）に示すように流下経路変換ソレノイド６３が流下経路変換部材６４を引き込み、６個目の遊技球の排出路６６側への流下を阻止する。同様に、２−ＢＥＴスイッチ８４ｂが操作されると、１０個の遊技球が検出スイッチ６７で検出された際に、図７（Ａ）に示すように流下経路変換ソレノイド６３が流下経路変換部材６４を引き込み、１１個目の遊技球の排出路６６側への流下を阻止する。３−ＢＥＴスイッチ８４ｃが操作されると、１５個の遊技球が検出スイッチ６７で検出された際に、図７（Ａ）に示すように流下経路変換ソレノイド６３が流下経路変換部材６４を引き込み、１６個目の遊技球の排出路６６側への流下を阻止する。
【００３０】
次に、実施形態に係る遊技機の遊技盤１３の構成について図４を参照して説明する。
遊技盤１３の略中央にはセンターケース３０が配置されている。センターケース３０の中央には、縦長矩形の左表示窓３４Ｌ、中央表示窓３４Ｃ、右表示窓３４Ｒが設けられて、左表示窓３４Ｌ内に左リール６２Ｌが、中央表示窓３４Ｃ内に中央リール６２Ｃが、右表示窓３４Ｒ内に右リール６２Ｒが回転自在に横一列に設けられている。左表示窓３４Ｌ、中央表示窓３４Ｃ、右表示窓３４Ｒは、パチンコ遊技の際の特別図柄表示装置３４を構成する。特別図柄表示器３４には５本(水平に３本、斜めに２本)の入賞ラインが設けられている。この特別図柄表示装置３４の上側には、パチンコ遊技の際に左、中央、右リール６２Ｌ、６２Ｃ、６２Ｒを始動させる回数を表示する４個のＬＥＤからなる特別図柄記憶ＬＥＤ３５が設けられ、特別図柄記憶ＬＥＤ３５の上側には、Ｖランプ３６が設けられている。
【００３１】
Ｖランプ３６は、スロット遊技の際に、ビックボーナス、レギュラーボーナスに内部当選した際に点灯する。左表示窓３４Ｌの左側、及び、右表示窓３４Ｒの右側には、１−ＢＥＴランプ８８ａ、２−ＢＥＴランプ８８ｂ、３−ＢＥＴランプ８８ｃが設けられる。これら１−ＢＥＴランプ８８ａ、２−ＢＥＴランプ８８ｂ及び３−ＢＥＴランプ８８ｃは、スロット遊技において、１回のゲームを行うために賭けられた遊技球の数に応じて点灯する。1−ＢＥＴランプ８８ａは、ＢＥＴ数が５球であり中央の１本の横入賞ラインが有効化されたときに点灯する。２−ＢＥＴランプ８８ｂは、ＢＥＴ数が１０球であり３本の入賞ライン（中央及び上下の横入賞ライン）が有効化されたときに点灯する。３−ＢＥＴランプ８８ｃは、ＢＥＴ数が１５球で全て(５本)の入賞ライン（中央、上下の横、斜めの入賞ライン）が有効化されたときに点灯する。
【００３２】
センターケース３０の下方には、特別図柄表示装置３４を作動させるための第１種始動口４１が設けられており、この第１種始動口４１の下部には普通電動役物４２が設けられている。開放された普通電動役物４２は、第１種始動口４１と同様に、特別図柄表示装置３４を作動開始させる機能を備えている。
【００３３】
第１種始動口４１の下方には、当たりの発生時に開放される扉形式の大入賞口５１が開閉可能に取り付けられており、この大入賞口５１の両側には、袖普通入賞口５２，５２がそれぞれ設けられている。また、大入賞口５１の内部には、特定領域（図示せず）が形成されている。左側の普通入賞口５２の左方には、３個のＬＥＤからなる普通図柄表示装置３２が配置されている。右側の普通入賞口５２の右側には、普通図柄表示装置３２の始動される回数を表示する４個のＬＥＤからなる普通図柄記憶ＬＥＤ３３が備えられている。
【００３４】
センターケース３０の左右側には、普通図柄表示装置３２を作動させるための普通図柄作動ゲート４０，４０が設けられている。普通電動役物４２は、普通図柄表示装置３２の停止図柄が所定の当たり図柄となった場合に開放されるよう構成されている。遊技盤１３の下方には、入賞しなかった遊技球をアウト球として回収するアウト口６９が設けられている。
【００３５】
また、普通図柄表示装置３２、または、普通電動役物４２の作動中に遊技球が普通図柄作動ゲート４０を通過した場合は、最初の４個までが始動記憶となり、普通図柄記憶ＬＥＤ３３の点灯数でもって記憶数が表示され、普通図柄が変動可能となると、その始動記憶に基づいて変動が開始される。
【００３６】
左リール６２Ｌ、中央リール６２Ｃ、右リール６２Ｒを展開して図５に示す。各リールには、“REVENGE”の文字、“チェリー”の絵、“ベル”の絵、９〜１の数字の１２図柄が配置されている。左リール６２Ｌ及び右リール６２Ｒと、中央リール６２Ｃとは逆配列とすることによって、複数の入賞ラインに同時に３つ図柄が揃うことがないように配慮されている。そして、各リールは、通常、図柄列が上方向から下方向へ移動するように回転駆動される。
【００３７】
パチンコ遊技において、３台のリールから成る特別図柄表示装置３４は、遊技球が第１種始動口４１または開放した普通電動役物４２に入賞した際に、１２種類の図柄を左表示窓（左リール６２Ｌ）３４Ｌ、中央表示窓（中央リール６２Ｃ）３４Ｃ、右表示窓（右リール６２Ｒ）３４Ｒの３箇所に変動表示する。
【００３８】
そして、変動開始後、所定の変動固定時間が経過すると、左表示窓３４Ｌ、右表示窓３４Ｒ、中央表示窓３４Ｃの順に変動（回転）を停止し、図柄が一致、例えば、１，１，１で揃うことにより大当たりとなって大入賞口５１が開放される。
【００３９】
特別図柄表示装置３４が作動中、または、大当たり状態の時に、遊技球が第１種始動口４１または開放した普通電動役物４２に入賞した場合は、最初の４個までが始動記憶となり、特別図柄記憶ＬＥＤ３５によって記憶数が表示される。そして、特別図柄が変動可能な状態になると、その始動記憶に基づいて変動が開始されるとともに、特別図柄記憶ＬＥＤ３５が１つ消灯される。
【００４０】
次に、図２及び図４を参照し第１実施態様の遊技機による遊技のあらましについて説明する。
まず遊技者は、遊技開始に先立ち、遊技機右側の開閉用鍵穴１５下部に設けられたパチンコ遊技選択スイッチ１６、又は、スロット遊技選択スイッチ１７を押すことにより、パチンコ遊技かスロット遊技かを選択する。その後、ガラス扉１１の最下部中央に設けられた球貸ボタン９２を操作することによって、その操作量に見合う所定量の遊技球を上皿２０に排出させる。なお、この遊技選択スイッチ１６、１７と球貸しボタン９２との操作手順は逆であっても構わない。
【００４１】
（パチンコ遊技が選択された場合)
遊技者がパチンコ遊技選択スイッチ“Ｐ”１６を押してパチンコ遊技を選択した場合には、パチンコ遊技選択スイッチ内部に設けられたパチンコランプが点灯し、パチンコ遊技が選択されていることを遊技者及び遊技場関係者に報知する。
【００４２】
発射ハンドル２３を回動操作することにより発射鎚９９（図３参照）が反復運動を開始し、遊技球を遊技盤１３面に向けて所定間隔で弾発発射することとなる。この弾発地点への遊技球の補給は、図３に示す上皿パネル１８背面側の整流器６０内に設けられた球送り板６５が発射鎚９９の動きに連動して動作し、図６(Ａ)、図６（Ｂ)、図６（Ｃ)の順に揺動することにより、１個宛の発射口６８から発射レール９８上の弾発地点へ送り出される。
【００４３】
このパチンコ遊技中には、整流器６０内の流下経路変換ソレノイド６３及び流下経路変換部材６４が図６（Ａ）、図６（Ｂ）、図６（Ｃ）に示す引き込み状態を維持し、流路が変換されることはない。
【００４４】
なお、後述するスロット遊技に特有の操作器具類(ＢＥＴスイッチ８４ａ、８４ｂ、８４ｃ、スタートレバー８６、停止ボタン８２Ｌ、８２Ｃ、８２Ｒ等)の操作は、パチンコ遊技選択中には受け付けられない。従って、パチンコ遊技中に誤ってＢＥＴスイッチ８４ａ、８４ｂ、８４ｃを操作しても後述するように遊技球が遊技機外に排出されることはないし、スタートレバー８６を操作しても後述するリールが回転することもない。また、リール回転中に停止ボタン８２Ｌ、８２Ｃ、８２Ｒを操作してもその操作によってリールが停止することもない。
【００４５】
〔普通図柄表示装置による遊技〕
ここでは、まず、普通図柄作動ゲート４０、４０への遊技球の通過に伴うについて説明する。遊技球が普通図柄作動ゲート４０、４０を通過すると、普通図柄表示装置３２の上ダイオード、中ダイオード、下ダイオードが順次点灯（変動表示）する。
【００４６】
ここで、普通図柄表示装置３２の変動表示中、又は、普通電動役物４２の開放中に、更に、遊技球が普通図柄作動ゲート４０、４０を通過すると、普通図柄記憶ＬＥＤ３３のＬＥＤが順次点灯し、普通図柄表示装置３２の変動が開始になる都度消されることにより記憶個数が表示される。なお、上述した遊技球が普通図柄作動ゲート４０、４０を通過してもそれが記憶されるのは最初の４個までで、それ以上の値は保持されない。この入賞が記憶されている状態においては、普通図柄表示装置３２での変動停止後、再び変動が開始される。
【００４７】
普通図柄表示装置３２の変動開始後、変動固定時間である２８秒変動させた後、表示図柄が乱数によって選択された停止図柄と一致したときに変動を停止させる。ここで、上ダイオード、又は、下ダイオードのいずれか１個でも点灯した状態であれば、当たりとなり、普通電動役物４２が０．５秒間開放される。
【００４８】
〔特別図柄表示装置による遊技〕
引き続き、特別図柄表示装置３４による遊技について説明する。
遊技球が第１種始動口４１又は普通電動役物４２へ入賞すると、特別図柄表示装置３４は、各表示窓３４Ｌ、３４Ｃ、３４Ｒにて図５を参照して上述した左リール６２Ｌ、中央リール６２Ｃ、右リール６２Ｒの外周に描かれた１２図柄の変動をそれぞれ開始する。そして、予め設定された時間が経過すると、左表示窓３４Ｌの図柄を停止、次に、右表示窓３４Ｒの図柄を停止し、最後に、中央表示窓３４Ｃの図柄を停止する。ここで、左表示窓３４Ｌ、中央表示窓３４Ｃ、右表示窓３４Ｒの５本の入賞ライン（水平３本、斜め２本）図柄が全て異なる場合には、ハズレとなる。他方、いずれかの入賞ラインで図柄が同一のときには、当たりとなる。ここで、１１１、３３３，５５５，７７７，９９９の奇数図柄（特定大当たり図柄）で揃った際には、大当たり終了後に高確率へ移行し、次の大当たりが短時間で発生するようになる。他方、２２２，４４４，６６６，８８８の偶数図柄及び“ベル”、“チェリー”の図柄（普通大当たり図柄）で揃った際には、高確率へは移行しない大当たりが発生する。また、“REVENGE”の文字が揃った際には、大当たりによる大入賞口の開放が行われないが、以降次回の大当たりが発生するまで高確率状態となる。
【００４９】
大当たりが発生すると、大入賞口５１を約２９．５秒開放して、遊技球の非常に入賞し易い状態を提供する。そして、該２９．５秒の経過又は開放時間内であっても遊技球が９個入賞することにより大入賞口５１が閉じられる。この大入賞口５１の開放中に、入賞球が特定領域（図示せず）を通過することにより大入賞口５１は再び開放される。なお、この大入賞口５１の開放回数は最高１６回までである。そして、大入賞口５１の開放中に遊技機が特定領域を通過しなかった場合、もしくは前記最高の１６回の開放を繰り返した際には、大入賞口の開放を終了する。
【００５０】
ここで、特別図柄表示装置３４にて図柄の変動表示を行っている最中に、更に、第１種始動口４１又は普通電動役物４２へ遊技球が入賞すると、この入賞個数が記憶され、特別図柄記憶ＬＥＤ３５にて順次表示される。なお、上述した遊技球が第１種始動口４１に入賞してもそれが記憶されるのは最初の４個までで、それ以上の値は保持されない。この入賞が記憶されている状態においては、特別図柄表示装置３４での変動停止後、再び変動が開始される。
【００５１】
（スロット遊技が選択された場合)
遊技者がスロット遊技選択スイッチ“Ｓ”１７を押してスロット遊技を選択した場合には、スロット遊技選択スイッチ内部に設けられたスロットランプが点灯し、スロット遊技が選択されていることを遊技者及び遊技場関係者に報知する。
【００５２】
遊技者は、先ず、上皿２０の左前面に設けられた１−ＢＥＴスイッチ８４ａ、２−ＢＥＴスイッチ８４ｂ、３−ＢＥＴスイッチ８４ｃの何れかを押することにより、賭ける遊技球の数を設定する。この１−ＢＥＴスイッチ８４ａ、２−ＢＥＴスイッチ８４ｂ、３−ＢＥＴスイッチ８４ｃの選択に応じて、左表示窓３４Ｌの左側及び右表示窓３４Ｒの右側に設けられた１−ＢＥＴランプ８８ａ、２−ＢＥＴランプ８８ｂ、３−ＢＥＴランプ８８ｃが点灯する。即ち、１−ＢＥＴスイッチ８４ａはＢＥＴ数が５球であり、1−ＢＥＴランプ８８ａが１本の中央横入賞ラインが有効化されたことを示すために点灯する。２−ＢＥＴスイッチ８４ｂはＢＥＴ数が１０球であり、２−ＢＥＴランプ８８ｂが３本の横入賞ラインが有効化されたことを示すために点灯する。３−ＢＥＴスイッチ８４ｃはＢＥＴ数が１５球で、３−ＢＥＴランプ８８ｃが全て(５本：横３本、斜め２本)の入賞ラインが有効化されことを示すため点灯する。
【００５３】
１−ＢＥＴスイッチ８４ａが押されると、図７（Ａ）を参照して上述した状態から、流下経路変換ソレノイド６３及び流下経路変換部材６４が、図７（Ｂ)を経て図７（Ｃ）の状態へと瞬時に変換され、遊技球検出センサ６７が５球を検出した時点で、瞬時に図７（Ａ）の状態に復帰する。従って５球の遊技球が図２に示す整流器６０内から排出口６８を経て、遊技機の回収口９９へと流下し、島設備へと戻っていくこととなる。
【００５４】
２−ＢＥＴスイッチ８４ｂが押されると、図７（Ａ）に示す状態から、流下経路変換ソレノイド６３及び流下経路変換部材６４が、図７（Ｂ)を経て図７（Ｃ）の状態へと瞬時に変換され、遊技球検出センサ６７が１０球を検出した時点で、瞬時に図７（Ａ）の状態に復帰する。従って１０球の遊技球が図２に示す整流器６０内から排出口６８を経て、遊技機の回収口９９へと流下し、島設備へと戻っていくこととなる。
【００５５】
３−ＢＥＴスイッチ８４ｃを押されると、図７（Ａ）に示す状態から、流下経路変換ソレノイド６３及び流下経路変換部材６４が、図７（Ｂ)を経て図７（Ｃ）の状態へと瞬時に変換され、遊技球検出センサ６７が１５球を検出した時点で、瞬時に図７（Ａ）の状態に復帰する。従って１５球の遊技球が図２に示す整流器６０内から排出口６８を経て、遊技機の回収口９９へと流下し、島設備へと戻っていくこととなる。
【００５６】
１−ＢＥＴスイッチ８４ａ、２−ＢＥＴスイッチ８４ｂ、３−ＢＥＴスイッチ８４ｃの操作後、遊技者は、スタートレバー８６を操作し、リール６２Ｌ、６２Ｃ、６２Ｒを回転を開始させる。そして、左リール停止ボタン８２Ｌを押して左リール６２Ｌを停止させ、中央リール停止ボタン８２Ｃを押して中央リール６２Ｃを停止させ、右リール停止ボタン８２Ｒを押して右リール６２Ｒを停止させる。
【００５７】
なお、上述したパチンコ遊技に特有の操作器具類(発射ハンドル２３等)の操作は、スロット遊技選択中には受け付けられない。従って、スロット遊技中に誤って、遊技球が遊技盤面上に弾発されることはない。
【００５８】
このスロット遊技は、通常遊技状態である「一般遊技状態」、多数の遊技球を獲得可能な「ビッグボーナス遊技状態」、及び「レギュラーボーナス遊技状態」に内部当選した状態である「ボーナス内部当選遊技状態」において遊技を行うことができる。
【００５９】
「一般遊技状態」中において、有効化された入賞ライン(以下、「有効ライン」という)に沿って“１−１−１”、“３−３−３”、“５−５−５”、“７−７−７”、“９−９−９”の奇数が並んだときは、「ビッグボーナス入賞」となり、７５個の遊技球が払い出されると共に、次のゲームからの遊技状態が「ビッグボーナス遊技状態」に変更される。
【００６０】
「一般遊技状態」中において、有効ラインに沿って“２−２−２”、“４−４−４”、“６−６−６”、“８−８−８”の偶数が並んだときは、「レギュラーボーナス入賞」となり、７５個の遊技球が払い出されると共に、次のゲームからの遊技状態が「レギュラーボーナス遊技状態」に変更される。
【００６１】
「一般遊技状態」中において、有効ラインに沿って“ベル−ベル−ベル”が並んだときは、６０個の遊技球が払い出される「ベルの小役入賞」となる。
「一般遊技状態」中において、有効ラインに沿って“チェリー−チェリー−チェリー”が並んだときは、４５個の遊技球が払い出される「チェリーの小役入賞」となる。
【００６２】
「一般遊技状態」中において、有効ラインに沿って“REVENGE”−“REVENGE”−“REVENGE”が並んだときは、再遊技(リプレイ)が発生する。「再遊技」入賞が発生すると、遊技者は、遊技球を消費することなく遊技を行うことができる。
【００６３】
上記「ビッグボーナス遊技状態」は、遊技者にとって最も有利な遊技状態で、次に述べる「レギュラーボーナス遊技状態」、及び「小役」の入賞可能性がある「ビッグボーナス一般遊技状態」により構成される。本実施形態では、「ビッグボーナス遊技状態」中、「レギュラーボーナス遊技状態」が最大３回発生し、「ビッグボーナス一般遊技状態」中は最大３０回のゲームを行うことができる。
【００６４】
「ビッグボーナス一般遊技状態」中は、上記「ベルの小役入賞」、「チェリーの小役入賞」のほか、左のリールの“ベル”または“チェリー”がいずれかの有効ラインの位置に停止することにより、中央の表示窓及び右の表示窓の表示態様に関係なく、３０個の遊技球が払い出される「３０球役の小役入賞」となる。
【００６５】
上記「レギュラーボーナス遊技状態」は、遊技球を５個賭けることにより所定の図柄組合せ“REVENGE”−“REVENGE”−“REVENGE”が揃い、７５個の遊技球を獲得できるボーナスゲームに当たりやすい遊技状態である。１回の「レギュラーボーナス遊技状態」において実行可能な最大ゲーム回数は、１２回である。また、この遊技状態において、可能な最大入賞回数は、８回である。即ち、この「レギュラーボーナス遊技状態」は、ゲーム回数が１２回に達するか、または入賞回数が８回に達した場合に終了する。ここで、一般にこのボーナスゲームに入賞することを役物入賞と称している。
【００６６】
また、「レギュラーボーナス遊技状態」は、上述の「ビッグボーナス一般遊技状態」において、有効ラインに沿って“REVENGE”−“REVENGE”−“REVENGE”が並ぶことによっても発生する。このとき、４５個の遊技球が払い出される。
【００６７】
ここで、「ビッグボーナス遊技状態」において最大球数の遊技球を獲得するには、３回の「レギュラーボーナス遊技状態」を発生させ、更に「ビッグボーナス一般遊技状態」において、３０ゲーム消化することが必要である。ただし、この「ビッグボーナス一般遊技状態」おいて、３ゲームは「レギュラーボーナス入賞」するために必要であるから、２７ゲームを「６０球役の小役入賞(チェリーの小役入賞)」とすることにより最大球数の遊技球を獲得可能である。なお、「ビッグボーナス一般遊技状態」においても、６０球役の小役に内部当選しなければ「６０球役の小役入賞」とはならない。
【００６８】
また、レギュラーボーナスに内部当選しなければ「レギュラーボーナス入賞」とはならない。ただし、レギュラーボーナスに内部当選しても、後述の「リプレイ外し」により「レギュラーボーナス入賞」とならないようにすることができる。この「リプレイ外し」を行うことにより、「ビッグボーナス一般遊技状態」においてより多くのゲームを行うことが可能となる。即ち、「ビッグボーナス遊技状態」において、より多くの遊技球を獲得することが可能となる。
【００６９】
本発明の遊技機においては、スタートレバー８６を操作する度に乱数サンプリングが行われ、入賞役を決定するための抽選処理が行われる。この抽選処理でビッグボーナス、レギュラーボーナス、或いは各種小役のいずれかの入賞役に内部当選すれば、マイコンはその内部当選役に応じた停止制御を行う。
【００７０】
即ち、入賞を達成するためには、「入賞役を決定するための抽選処理において、いずれかの入賞役に内部当選すること。」及び「遊技者が内部当選役に該当する図柄を引き込める位置(タイミング)で停止ボタンの操作を行うこと。」の２つの条件が満たされなければならないということである。従って、入賞役を決定するための抽選処理において、いずれかの入賞役に内部当選したとしても、上述した２つ目の条件をも満たさなければ、マイコンによる入賞判定がなされない。
つまり、ある入賞役について内部当選があったとしても、入賞が保証されたわけではなく、有効ライン上に内部当選役に該当する図柄を停止させてもよいという許可を与えたに過ぎないということである。これが、内部当選のみによって大当たり判定をしているパチンコ遊技と大きく異なる点である。
【００７１】
具体的には、
▲１▼「入賞役を決定するための抽選処理において内部当選、且つ入賞役に該当する図柄を引き込める位置(タイミング)で停止操作した場合。」
▲２▼「入賞役を決定するための抽選処理において内部当選、且つ入賞役に該当する図柄を引き込めない位置(タイミング)で停止操作した場合。」
▲３▼「入賞役を決定するための抽選処理において内部当選しなかった場合で、且つ入賞役に該当する図柄を引き込める位置(タイミング)で停止操作した場合。」
▲４▼「入賞役を決定するための抽選処理において内部当選しなかった場合で、且つ入賞役に該当する図柄を引き込めない位置(タイミング)で停止操作した場合。」
の４つのパターンにおいて、▲１▼のように入賞役に該当する図柄を引き込める位置で停止操作すれば入賞となるが、▲２▼のように入賞役に該当する図柄を引き込めない位置で停止操作すれば、内部当選していても入賞とはならない。また、▲３▼のように内部当選しなかった場合は、たとえ入賞役に該当する図柄を引き込める位置で停止操作したとしても、有効ライン上に沿って入賞役に該当する図柄を並ばせないようにする制御がマイコンによって行われる。▲４▼も当然に入賞することはない。
【００７２】
ここで、内部当選役がビッグボーナス、レギュラーボーナス以外の小役等の場合は、停止許可が与えられた１回のゲームで入賞しなかった場合は、次回のゲームではその内部当選は無効となり停止許可が解除される。一方、内部当選役がビッグボーナスまたはレギュラーボーナスの場合は、ビッグボーナスまたはレギュラーボーナスに入賞するまでの間、複数ゲームに亘って内部当選が保持され、停止許可が継続する。
【００７３】
本実施形態において、上記の引き込める位置は、最大４コマの範囲内としている。例えば、ビッグボーナスに内部当選し、中央の入賞ラインに沿って“７−７”と並んでいるとき、中央の入賞ライン上に“３”乃至“６”のいずれかの図柄が位置したときに右のＲ停止ボタン８２Ｒを操作することにより、“７”が引き込まれてビッグボーナス入賞となる。ここで、“７”が中央の入賞ライン上に位置したときにＲ停止ボタン８２Ｒを操作してもビッグボーナス入賞となる。
【００７４】
ところで、「ビッグボーナス一般遊技状態中」は、前述のように最大３０回ゲームを行うことが可能である。本実施形態では、「ビッグボーナス一般遊技状態中」において、前述のように“REVENGE”−“REVENGE”−“REVENGE”が揃うと、レギュラーボーナス入賞となり、次のゲームから「レギュラーボーナス遊技状態」となる。このため、遊技者はできる限り、最大ゲーム回数である３０回を消化しようと試みる。具体的には、“REVENGE”−“REVENGE”−“REVENGE”が揃わないようなリールの操作停止、いわゆる「リプレイ外し」を行う。
【００７５】
本実施形態では、「ビッグボーナス一般遊技状態」においてレギュラーボーナスに内部当選しているとき、初めに右のＲ停止ボタン８２Ｒに続いて、中央のＣ停止ボタン８２Ｃという順序で停止操作を行うと、中央の有効ラインに“REVENGE”−“REVENGE”のように図柄が並ぶこととしている。従って、左リールの“１”が中央の入賞ライン上に位置したときに左のＬ停止ボタン８２Ｌを停止操作することにより「リプレイ外し」を成功させることができる。
【００７６】
実施形態の遊技機では、パチンコ遊技選択スイッチ１６を操作することでパチンコ遊技を、スロット遊技選択スイッチ１７を操作することでスロット遊技を行うことができる。このため、１台の遊技機でパチンコ遊技とスロット遊技とを行い得る。ここで、スロット遊技が、遊技球の投入によりリール６２Ｌ、６２Ｃ、６２Ｒの回転を開始でき、有効ライン上にて役図柄で停止した際に賞球を払い出すため、遊技球を用いて、パチンコ遊技のみならずスロット遊技を行い得る。即ち、遊技者は、一台の遊技機でパチンコ遊技とスロット遊技の両方を楽しめるので、何れかの遊技への移行に際しても遊技店内で島間を移動する必要がない。また、遊技店にとっても、遊技球を媒体とした島設備だけの導入で済み、スロット機用のコインの貸出・回収の導入に伴う経費を削減できるばかりでなく、その維持・管理に関わる経費も大幅に削減することができる。
【００７７】
また、本実施形態の遊技機では、スロット遊技の際の遊技球の投入は、複数個（５、１０、１５球）の投入によりリール６２Ｌ、６２Ｃ、６２Ｒの変動が可能になる。このため、パチンコ機とは異なる価値の遊技媒体（コイン）を用いて行うスロット遊技を、遊技球を用いて行うことが可能になる。即ち、パチンコ球とコインとの最小単位価値の違いによる不具合も、遊技に応じて１回の遊技に供されるパチンコ球の個数を変化させることにより解消できる。
【００７８】
以上、本発明を図示の実施形態について説明したが、本発明は上記した実施形態に限定されるものではなく、特許請求の範囲に記載の構成を変更しない限り適宜実施できる。例えば、実施形態の形態に於いては、３個のリールによる変動表示手段を備えた遊技機に関して示したが、３個のリールに代えて１つの液晶板による変動表示手段とすることも好適である。
【図面の簡単な説明】
【図１】  (Ａ)は遊技機の平面図であり、(Ｂ)は遊技機の正面図であり、(Ｃ)は遊技機の右側面図である。
【図２】  図１(Ｂ)の遊技機を拡大して示す正面図である。
【図３】  遊技機のガラス枠を開放した斜視図である。
【図４】  遊技盤の正面図である。
【図５】  各リールの図柄配列の説明図である。
【図６】  パチンコ遊技での球送りを示す整流器の断面図である。
【図７】  スロット遊技での遊技球流下経路の変換を示す整流器の断面図である。
【図８】  流下経路変換部材の斜視図である。
【符号の説明】
１０  遊技機
１２  遊技枠
１３  遊技盤
１６  パチンコ遊技選択スイッチ
１７  スロット遊技選択スイッチ
３０  センターケース
３４  特別図柄表示装置
３４Ｌ  左表示窓
３４Ｃ  中央表示窓
３４Ｒ  右表示窓
４１  第１種始動口
５１  大入賞口
６０  整流器
６１  導入口
６２Ｌ  左リール
６２Ｃ  中央リール
６２Ｒ  右リール
６３  流下経路変換ソレノイド
６４  流下経路変換部材
６５  球送り板
６６  排出路
６８  発射口
８６  スタートレバー
【図１】
0003976583.tif 000002
【図２】
0003976583.tif 000003
【図３】
0003976583.tif 000004
【図４】
0003976583.tif 000005
【図５】
0003976583.tif 000006
【図６】
0003976583.tif 000007
【図７】
0003976583.tif 000008
【図８】
0003976583.tif 000009